(57)【特許請求の範囲】
【請求項１】
被覆導線と端子とが接続されるワイヤハーネスであって、
前記端子は、前記被覆導線が圧着される略筒状の圧着部と、端子本体と、を有し、
前記圧着部は、前記被覆導線が挿入される部位を除き、他の部位が封止されており、
前記被覆導線の被覆部に対応する前記圧着部の外周面には、前記端子の長手方向に沿って凸部が形成され、
前記圧着部の径方向断面において、前記圧着部の圧縮方向に垂直な方向に対する、前記圧着部の外周面からの前記凸部の突出高さが、圧着前の前記圧着部の肉厚以下であり、
前記圧着部の径方向断面において、前記凸部には、前記圧着部の外周面との間に段差が形成され、前記凸部における圧着方向に垂直な面が、前記凸部外周まで形成され、前記凸部の基部における前記圧着部の圧縮方向に垂直な面と、前記圧着部外周の円弧面との境界部に、テーパ部またはなだらかに接続するテーパ部が設けられることを特徴とするワイヤハーネス。
【請求項２】
前記凸部は圧着に用いられる第１金型と第２金型の合わせ部に対応する位置に形成されることを特徴とする請求項１記載のワイヤハーネス。
【請求項３】
端子と被覆導線との接続方法であって、
前記端子は、前記被覆導線が圧着される略筒状の圧着部と、端子本体とを有し、
前記圧着部は、前記被覆導線が挿入される部位を除き、他の部位が封止されており、
前記圧着部に前記被覆導線を挿入し、
前記圧着部を押圧するための、互いに対向する第１金型と第２金型を用い、
前記第１金型が前記第２金型の内部に嵌りこむようにして、前記被覆導線の被覆部を前記圧着部で圧着することで、前記圧着部の外周面には、前記第１金型と前記第２金型の合わせ部に対応する位置に凸部が形成され、
前記圧着部の径方向断面において、前記圧着部の圧縮方向に垂直な方向に対する、前記圧着部の外周面からの前記凸部の突出高さを、圧着前の前記圧着部の肉厚以下とし、
前記第１金型の端部には、前記第１金型と前記第２金型の圧縮方向に垂直な方向に対して、内側に向かって傾斜するテーパ部またはなだらかに接続するテーパ部が設けられ、
前記圧着部の径方向断面において、前記凸部には、前記圧着部の外周面との間に前記第１金型の端部形状に応じた段差が形成され、前記凸部における圧着方向に垂直な面が、前記凸部外周まで形成され、前記凸部の基部における前記圧着部の圧縮方向に垂直な面と、前記圧着部外周の円弧面との境界部にテーパ部が設けられることを特徴とする端子と被覆導線との接続方法。
【請求項４】
端子と被覆導線との圧着に用いられる金型であって、
互いに対向する第１金型と、第２金型と、を具備し、
前記第１金型が前記第２金型の内部に嵌りこむようにして、被覆導線の被覆部と端子とを圧着することが可能であり、
前記第１金型の端部には、前記第１金型と前記第２金型の圧縮方向に垂直な方向に対して、内側に向かって傾斜するテーパ部またはなだらかに接続するテーパ部が設けられ、
圧着後の端子の外周面に、前記第１金型の端部形状に応じた段差を形成するとともに、前記凸部における圧着方向に垂直な面が、前記凸部外周まで形成し、前記凸部の基部における前記圧着部の圧縮方向に垂直な面と、前記圧着部外周の円弧面との境界部にテーパ部を形成可能であることを特徴とする金型。
【発明の詳細な説明】
【技術分野】
【０００１】
本発明は自動車等に用いられるワイヤハーネス等に関するものである。
【背景技術】
【０００２】
従来、自動車用ワイヤハーネスにおける電線と端子との接続は、オープンバレル型と呼ばれる端子で電線をかしめて圧着する圧着接合が一般的である。しかし、このようなワイヤハーネスでは、電線と端子の接続部分に水分等が付着してしまうと、電線に用いられる金属表面の酸化が進み、接合部における抵抗が増加してしまう。また電線と端子に用いられる金属が異なる場合、異種金属間腐食が進んでしまう。当該接続部分における金属材料の腐食の進行は、接続部分の割れや接触不良の原因となり、製品寿命への影響を免れない。特に近年では、電線をアルミニウム合金とし、端子を銅合金とするワイヤハーネスが実用化されつつあり、接合部の腐食の課題が顕著になってきている。【０００３】
ここで、例えばアルミニウムと銅のような異種金属の接触部分に水分が付着すると、腐食電位の違いから、いわゆる電食が発生する恐れがある。特に、アルミニウムと銅との電位差は大きいから、電気的に卑であるアルミニウム側の腐食が進行する。このため、導線と圧着端子との接続状態が不安定となり、接触抵抗の増加や線径の減少による電気抵抗の増大、さらには断線が生じて電装部品の誤動作、機能停止に至る恐れがある。【０００４】
このような異種金属が接触するワイヤハーネスにおいて、電線と圧着端子との接続部を覆うように樹脂材を充填したものがある（特許文献１）。樹脂材を充填することによって、電線と圧着端子との接触部分に水分が付着するのを防止する。【０００５】
また、一端閉塞型の筒状圧着部を有する端子を用い、この筒状圧着部内に被覆導線の端部を挿入した後、該筒状圧着部をかしめ加工により圧着して、被覆部と圧着部とを密着させることで、雨水や海水等が、圧着部の内部の芯線部に浸入することを防止する方法が提案されている（特許文献２）。
【先行技術文献】
【特許文献】
【０００６】
【特許文献１】特開２００４−１１１０５８号公報
【特許文献２】特開２００６−３３１９３１号公報
【発明の概要】
【発明が解決しようとする課題】
【０００７】
しかし、特許文献１の方法では、樹脂材を別途充填しなければならないので、製造工程が複雑になり、その分、製造工程における管理も複雑化するという問題が生じる。また、工程が複雑になった分、ワイヤハーネス全体のコストも上がってしまう。【０００８】
一方、特許文献２のように、筒状圧着部を圧着する場合には、一対の圧着金型が使用される。例えば、内面円弧状のアンビル型がクリンパー型に嵌るようにして圧着部を断面略円形状に圧着する方法がある。この際、アンビル型の先端部は、剛性を確保する必要があることから、ある程度の厚みを要する。したがって、このような金型によって圧着部を圧着すると、アンビル型の先端部の厚みに応じて、金型の合わせ部における圧着部の外周面に突起状の肉逃げ部が形成される。【０００９】
圧着部の外周面に過大な凸部が生じると、圧着時の金属が外側へ流れるため、圧着部の内面に凹みが生じる恐れがある。圧着部の内面に、このような凹みが形成されると、凹みに被覆部の樹脂が押し込まれた状態となるため、被覆部の圧力分布が不均一となる。このため、例えば高温状態における応力緩和などの影響によって、凹みと被覆部との密着性を十分に確保することが困難となる。この結果、圧着部における十分な止水性を確保することができなくなる恐れがある。【００１０】
本発明は、このような問題に鑑みてなされたもので、筒状圧着部を有する端子に対して、止水性を確保することが可能なワイヤハーネス、端子と被覆導線との接続方法、および金型を提供することを目的とする。
【課題を解決するための手段】
【００１１】
前述した目的を達するために第１の発明は、  被覆導線と端子とが接続されるワイヤハーネスであって、前記端子は、前記被覆導線が圧着される略筒状の圧着部と、端子本体と、を有し、前記圧着部は、前記被覆導線が挿入される部位を除き、他の部位が封止されており、前記被覆導線の被覆部に対応する前記圧着部の外周面には、前記端子の長手方向に沿って凸部が形成され、前記圧着部の径方向断面において、前記圧着部の圧縮方向に垂直な方向に対する、前記圧着部の外周面からの前記凸部の突出高さが、圧着前の前記圧着部の肉厚以下であり、前記圧着部の径方向断面において、前記凸部には、前記圧着部の外周面との間に段差が形成され、前記凸部における圧着方向に垂直な面が、前記凸部外周まで形成され、前記凸部の基部における前記圧着部の圧縮方向に垂直な面と、前記圧着部外周の円弧面との境界部に、テーパ部またはなだらかに接続するテーパ部が設けられることを特徴とするワイヤハーネスである。
【００１２】
前記凸部は圧着に用いられる第１金型と第２金型の合わせ部に対応する位置に形成されてもよい。【００１４】
第１の発明によれば、略筒状の圧着部に被覆導線が挿入され、圧着部が一対の金型で圧着された際に、端子の長手方向に沿って形成される凸部の高さが、圧着前の圧着部の肉厚よりも低いため、圧着部の内面に凹部が形成されることを抑制することができる。このため、圧着部の内面と被覆部とが密着し、高い止水性を確保することができる。【００１５】
また、断面において、凸部と圧着部外周面の円弧部との間の段差にテーパ部またはなだらかに接続するテーパ部を形成することで、金属の流動方向の急激な変化部を減少することができるため、より確実に、圧着部の内面の凹部の形成を防止することができる。
【００１６】
第２の発明は、端子と被覆導線との接続方法であって、前記端子は、前記被覆導線が圧着される略筒状の圧着部と、端子本体とを有し、前記圧着部は、前記被覆導線が挿入される部位を除き、他の部位が封止されており、前記圧着部に前記被覆導線を挿入し、前記圧着部を押圧するための、互いに対向する第１金型と第２金型を用い、前記第１金型が前記第２金型の内部に嵌りこむようにして、前記被覆導線の被覆部を前記圧着部で圧着することで、前記圧着部の外周面には、前記第１金型と前記第２金型の合わせ部に対応する位置に凸部が形成され、前記圧着部の径方向断面において、前記圧着部の圧縮方向に垂直な方向に対する、前記圧着部の外周面からの前記凸部の突出高さを、圧着前の前記圧着部の肉厚以下とし、前記第１金型の端部には、前記第１金型と前記第２金型の圧縮方向に垂直な方向に対して、内側に向かって傾斜するテーパ部またはなだらかに接続するテーパ部が設けられ、前記圧着部の径方向断面において、前記凸部には、前記圧着部の外周面との間に前記第１金型の端部形状に応じた段差が形成され、前記凸部における圧着方向に垂直な面が、前記凸部外周まで形成され、前記凸部の基部における前記圧着部の圧縮方向に垂直な面と、前記圧着部外周の円弧面との境界部にテーパ部が設けられることを特徴とする端子と被覆導線との接続方法である。
【００１８】
第２の発明によれば、一方の金型（アンビル型）の先端の厚みを、圧着前の端子の肉厚よりも薄くすることで、凸部の高さを端子肉厚よりも低くすることができる。この結果、圧着部の内面に凹部が形成されることを抑制することができる。【００１９】
また、一方の金型（アンビル型）の先端部に傾斜部を形成することで、凸部と圧着部外周面の円弧部との間の段差に傾斜部を形成することができる。このため、金属の流動方向の急激な変化部が減少し、より確実に圧着部の内面の凹部の形成を防止することができる。【００２０】
第３の発明は、  端子と被覆導線との圧着に用いられる金型であって、互いに対向する第１金型と、第２金型と、を具備し、前記第１金型が前記第２金型の内部に嵌りこむようにして、被覆導線の被覆部と端子とを圧着することが可能であり、前記第１金型の端部には、前記第１金型と前記第２金型の圧縮方向に垂直な方向に対して、内側に向かって傾斜するテーパ部またはなだらかに接続するテーパ部が設けられ、圧着後の端子の外周面に、前記第１金型の端部形状に応じた段差を形成するとともに、前記凸部における圧着方向に垂直な面が、前記凸部外周まで形成し、前記凸部の基部における前記圧着部の圧縮方向に垂直な面と、前記圧着部外周の円弧面との境界部にテーパ部を形成可能であることを特徴とする金型である。
【００２１】
第３の発明によれば、一方の金型（アンビル型）の先端部に傾斜部を形成することで、凸部と圧着部外周面の円弧部との間の段差に傾斜部を形成することができる。このため、金属の流動方向の急激な変化部が減少し、より確実に圧着部の内面の凹部の形成を防止することができる。
【発明の効果】
【００２２】
本発明によれば、筒状圧着部を有する端子に対して、止水性を確保することが可能なワイヤハーネス、端子と被覆導線との接続方法、および金型を提供することができる。
【図面の簡単な説明】
【００２３】
【図１】ワイヤハーネス３０を示す斜視図。
【図２】端子１に被覆導線２３を挿入した状態を示す斜視図。
【図３】図２の状態の縦断面図。
【図４】金型３１ａ、３１ｂの間に圧着部５を配置した状態を示す断面図。
【図５】図４のＡ−Ａ線における金型３１ａ、３１ｂの断面図。
【図６】金型３１ａ、３１ｂで圧着部５を圧着した際の、合わせ部近傍の拡大図。
【図７】圧着部５に形成された凸部７の拡大図。
【図８】他の金型３１ｂを示す図で、（ａ）は全体図、（ｂ）（ｃ）は先端部近傍の拡大図。
【図９】圧着部５に形成された凸部７の拡大図であって、（ａ）は図８（ｂ）により形成された形状を示す図、（ｂ）は、図８（ｂ）により形成された形状を示す図。
【図１０】ワイヤハーネス３０の止水性を評価する方法を示す図。
【発明を実施するための形態】
【００２４】
以下、図面に基づいて、本発明の実施の形態について詳細に説明する。図１は、ワイヤハーネス３０を示す図である。ワイヤハーネス３０は、端子１と被覆導線２３とが接続されて形成される。
【００２５】
端子１は、端子本体３と圧着部５とが一体で形成される。端子本体３は、長手方向の前端部１７から、図示しない雄型コネクタを挿入可能である。端子本体３には、雄型コネクタの挿入タブに接触する弾性接触片１５を備える。
【００２６】
圧着部５は、閉塞型であって略筒状に形成される。圧着部５は、板状の素材が略筒状に丸められて、縁部同士が接合部２１で接合されて形成される。また、圧着部５の前端部（端子本体３側）には封止部１１が設けられる。すなわち、圧着部５は、被覆導線２３が挿入される後端部１９以外は、封止される。なお、接合部２１および封止部１１は、例えばレーザ溶接等によって溶接される。
【００２７】
端子１は、例えば銅製の板状部材を用いて、プレス加工によって形成される。すなわち、封止および圧着前の端子１は、各部が略同一の肉厚である。一方、端子１は、封止時や圧着時に、封止部１１や圧着部５の肉厚が変動する。したがって、例えば、ワイヤハーネス３０から、圧着前の端子１の肉厚を知るためには、端子本体３における、素材１枚分の肉厚を計測すればよい。
【００２８】
被覆導線２３は、導線２５が絶縁性の被覆部２７によって被覆される。被覆導線２３を圧着部５に挿入する際には、被覆導線２３の先端の一部の被覆部２７が剥離され、導線２５を露出させておく。なお、被覆部２７としては、ポリ塩化ビニル（ＰＶＣ）、ポリエチレン等、この技術の分野において通常用いられるものを選択することができる。また、導線２５としては、例えばアルミニウムまたはアルミニウム合金を適用することができる。
【００２９】
圧着部５の外周面には、長手方向に沿って凸部７が形成される。凸部７は、圧着部５の圧着時に形成されるものである。凸部７については詳細を後述する。
【００３０】
圧着部５が導線２５および被覆部２７と圧着されるため、圧着部５と被覆部２７との密着によって圧着部５が封止される。この際、圧着部５の後端部１９以外の他の部位は、接合部２１および封止部１１によって水密に封止されるため、圧着部５への水分の浸入を防止することができる。
【００３１】
次に、ワイヤハーネスを形成する工程について説明する。図２、図３は、端子１と被覆導線２３との接続工程を示す図であり、図２は斜視図、図３は長手方向断面図である。まず、筒状の圧着部５に被覆導線２３を挿入する。前述したように、被覆導線２３の先端部は、被覆部２７が剥離されて導線２５が露出する。圧着部５の内部には、導線２５が露出した部位と、被覆部２７が被覆された部位の両者が位置する。
【００３２】
次に、金型によって、圧着部５を圧縮する。図４は、金型３１ａ、３１ｂの間に圧着部５を配置した状態を示す長手方向部分断面図である。図４に示すように、圧着部５は、一対の金型３１ａ、３１ｂの間に配置される。
【００３３】
図５は、図４のＡ−Ａ線断面における金型３１ａ、３１ｂの断面図である。すなわち、図５は、被覆部２７を圧着する部位の金型３１ａ、３１ｂの形状である。第１の金型である金型３１ｂは、アンビル型であり、第２の金型である金型３１ａはクリンパー型である。金型３１ａ、３１ｂは、互いに対向して配置されて、互いに近づく方向に少なくも一方が移動可能である（図中矢印Ｃ方向）。金型３１ａ、３１ｂの対向面は、円弧状に形成されている。金型３１ｂが、金型３１ａに嵌りこむと、略円形の形状となる。
【００３４】
図６は、圧着部５を圧着した状態の、図５におけるＢ部近傍の拡大図である。
金型３１ｂの先端部（金型３１ａの内周面との境界部近傍）は、ある程度の剛性が必要であるため、完全に尖らせることができず、ある程度の厚みが必要である。このため、金型３１ａ、３１ｂで圧着部５（および被覆導線２３）を圧着すると、金型３１ａ、３１ｂの合わせ部において、金型３１ｂの先端部の厚みに応じた凸部７が形成される。凸部７は、金型３１ａ、３１ｂの合わせ部に沿って形成されるため、圧着部５の長手方向に沿って一直線（２か所）に形成される。
【００３５】
図７は、得られた圧着部５の凸部７近傍の拡大図である。凸部７の上方（金型３１ａとの接触部）は、なだらかに曲線状に形成される。一方、凸部７の下方（金型３１ｂとの接触部）には、金型３１ｂの先端部の形状によって段差９が形成される。
【００３６】
ここで、凸部７の高さ（図中Ｆ）は、圧着前の圧着部５の肉厚よりも低い。圧着部の肉厚に対して、凸部７の高さが高くなると、圧着部５の内面に凹みが形成されやすくなる。すなわち、外側（凸部７）へ流れる金属の量が多くなるため、内面側に金属フローに応じた凹みが形成されやすくなる。
【００３７】
このような凹みが形成されると、被覆部２７との密着性が劣化する恐れがある。例えば、高温等に放置した際に、被覆部２７に付与された圧縮力が解放されて、凹部と被覆部２７との間に、微小な隙間が形成される恐れがある。このような隙間は、水分の浸入経路となるため、問題となる。
【００３８】
これに対し、凸部７の高さが、圧着前の圧着部５の肉厚よりも低ければ、圧着時に圧着部５が圧縮された際に、凸部７側へ流れる金属量が少なくなり、圧着部５の内面に凹部が形成されることを抑制することができる。
【００３９】
なお、凸部７の高さとは、断面において、金型３１ａ、３１ｂによる圧着方向（図中上下方向であって、矢印Ｄ方向）に対して、垂直な方向（図中上下方向であって、矢印Ｅ方向）で見た際の、段差９の基部（凸部７と円弧部との境界部）から、凸部７の最高部までの高さである。また、圧着前の圧着部５の肉厚は、例えば、端子本体３によって知ることができる。
【００４０】
また、凸部７の高さを低くするためには、金型３１ｂの端部の先端厚みをできるだけ薄くすることが望ましい。すなわち、凸部７の高さは、金型３１ｂの端部の先端厚みと、金型３１ａ、３１ｂのクリアランスによって決まるため、金型３１ｂの剛性を考慮して、金型３１ｂの先端厚みを設計すればよい。
【００４１】
本実施の形態によれば、凸部７の高さを圧着部５の圧着前の肉厚よりも低くするため、圧着部５の内面に形成される凹みの形成を抑制することができる。このため、被覆部２７と圧着部５の内面との密着性を保つことができ、圧着部５の水密性を確保することができる。
【００４２】
なお、金型３１ｂの先端部の形状は、図６等に示したものには限られない。すなわち、図６に示すように、金型３１ｂの先端部を、圧着方向に垂直な面のみで形成するのではなく、他の形態であってもよい。
【００４３】
例えば、図８（ａ）は、金型３１ｂの他の形態を示す全体図であり、図８（ｂ）は、図８（ａ）のＧ部拡大図である。図８（ｂ）に示すように、断面において、金型３１ｂの先端部に、圧着方向（図中矢印Ｄ）とは垂直な方向（図中矢印Ｅ）に対して傾斜するテーパ部３３を形成してもよい。
【００４４】
また、このテーパ部３３は、図８（ｂ）に示すように直線状に形成するのではなく、図８（ｃ）に示すように、円弧状に形成してもよい。すなわち、金型３１ｂの先端部を、圧着方向に垂直な面のみで形成するのではなく、圧着方向に垂直な面と円弧面との境界部に、これらをなだらかに接続するテーパ部３３を形成してもよい。
【００４５】
図９（ａ）は、図８（ｂ）の金型によって圧着された圧着部５の凸部７近傍の部分拡大断面図である。図９（ａ）に示すように、段差９において、圧着方向（図中矢印Ｄ）とは垂直な方向（図中矢印Ｅ）に対して直線状に傾斜する傾斜部１３が形成される。なお、この際の凸部７の高さ（図中Ｈ）は、断面において、金型３１ａ、３１ｂによる圧着方向（矢印Ｄ方向）に対して、垂直な方向（矢印Ｅ方向）で見た際の、段差９の基部（凸部７と円弧部との境界部）から、凸部７の最高部までの高さである。
【００４６】
同様に、図９（ｂ）は、図８（ｃ）の金型によって圧着された圧着部５の凸部７近傍の部分拡大断面図である。図９（ｂ）に示すように、段差９において、圧着方向（図中矢印Ｄ）とは垂直な方向（図中矢印Ｅ）に対して円弧状に傾斜する傾斜部１３が形成される。なお、この際の凸部７の高さ（図中Ｉ）も、断面において、金型３１ａ、３１ｂによる圧着方向（矢印Ｄ方向）に対して、垂直な方向（矢印Ｅ方向）で見た際の、段差９の基部（凸部７と円弧部との境界部）から、凸部７の最高部までの高さである。
【実施例】
【００４７】
次に、本発明に従うワイヤハーネス及び比較としてのワイヤハーネスを試作し、各試料ついて性能試験を行ったので以下に説明する。【００４８】
ワイヤハーネスの被覆導線から端子に向かって空気を送り、後端部から空気が漏れるか否かについて実験した。図１０には、実験方法の概要を示す。実験は、水を入れた水槽４１中にワイヤハーネス３０に圧着された端子１を入れ、ワイヤハーネス３０の端部から端子１に向かってレギュレータ４２によって加圧空気を送った。【００４９】
（ワイヤハーネス）
端子の基材には、厚さ０．２５ｍｍの銅合金材ＦＡＳ−６８０（古河電気工業（株）製、Ｎｉ：２．３質量％、Ｓｉ：０．６質量％、Ｓｎ：０．１５％、Ｚｎ：０．５質量％、Ｍｇ：０．１質量％、残部：Ｃｕおよび不可避不純物）を用い、図１に示した構造を有するものを使用した。電線には、アルミニウム合金線（線径０．４３ｍｍ）を用いた。なお、芯線の組成は、Ｆｅ：０．２質量％、Ｃｕ：０．２質量％、Ｍｇ：０．１質量％、Ｓｉ：０．０４質量％、残部：Ａｌ及び不可避不純物である。芯線の径は２．１ｍｍであり、電線の外径は２．８ｍｍであり、電線の長さは３０ｃｍである。そしてこの圧着端子の圧着部に、芯線が露出した電線の端部を挿入し、図５に示した、圧着型を備える圧着装置を用いて圧着部を圧着した。この際の圧縮率（圧縮後の断面積の、圧縮前の断面積に対する比率）は７０％とした。これにより、被覆圧着部分に凸部（パーティングライン）が形成された。【００５０】
（実施例１、２）
この際、金型先端の厚みを変更することで、実施例１、２の凸部の高さを、それぞれ０．１ｍｍ、０．２ｍｍとした。【００５１】
（比較例３）
金型先端の厚みを変更することで、凸部の高さを、０．３ｍｍとした以外は、実施例１、２と同様とした。【００５２】
実施例１、２、比較例３を、サンプル１〜３として、それぞれのサンプル数をｎ＝５とした。最大４００ｋＰａの圧力を付し、４００ｋＰａの圧力でリークが見られなかったものを合格とした。結果を表１に示す。【００５３】
【表１】
0006017061.tif 000002
【００５４】
表１に示すように、圧着前の端子の肉厚よりも、凸部高さが低い、Ｎｏ．１，２は、合格率が１００％であった。一方、凸部高さが圧着前の端子の肉厚よりも高いＮｏ．３では、一部にリークが見られ、合格率は８０％となった。【００５５】
また、上記の実施例では、電線の外径が２．８ｍｍのものを用いたが、異なる径の電線においても同様に、圧着前の端子の肉厚よりも、凸部高さを低くすることで、圧着部の内面に凹部が形成されることを抑制することができた。特に、凸部高さを０．２ｍｍ以下にすると、止水性能試験の合格率が１００％であった。
【００５６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。【００５７】
例えば、実施例は、電線にアルミニウムを使った場合を記載したが、これに限定されず、電線に銅を使っても良い。【００５８】
また、上記実施形態では、２つの金型３１ａ，３１ｂにより端子と電線を圧着接続したが、例えば３つ以上の金型を用いてもよい。その場合も同様に、金型の先端部は、ある程度の剛性を確保する必要があることから、ある程度の厚みを要する。このような金型を用いる場合、端子の長手方向に沿って凸部が形成されるが、凸部の突出高さは、圧着前の圧着部の肉厚以下であることが好ましい。【００５９】
また、本発明にかかるワイヤハーネスを複数本束ねて使用することもできる。本発明では、このように複数本のワイヤハーネスが束ねられた構造体を、ワイヤハーネス構造体と称する。
【符号の説明】
【００６０】
１………端子
３………端子本体
５………圧着部
７………凸部
９………段差
１１………封止部
１３………傾斜部
１５………弾性接触片
１７………前端部
１９………後端部
２１………接合部
２３………被覆導線
２５………導線
２７………被覆部
３０………ワイヤハーネス
３１ａ、３１ｂ………金型
３３………テーパ部
４１………水槽
４２………レギュレータ
【図１】
0006017061.tif 000003
【図２】
0006017061.tif 000004
【図３】
0006017061.tif 000005
【図４】
0006017061.tif 000006
【図５】
0006017061.tif 000007
【図６】
0006017061.tif 000008
【図７】
0006017061.tif 000009
【図８】
0006017061.tif 000010
【図９】
0006017061.tif 000011
【図１０】
0006017061.tif 000012